【事件の表示】
　商願２００８−４１３７８拒絶査定不服審判事件について、次のとおり審決する。
【結　論】
　本件審判の請求は、成り立たない。
【理　由】
１　本願商標 
　本願商標は、別掲１のとおり、「スーパーアルプス」の片仮名文字及び「Ｓｕｐｅｒ　ＡＬＰＳ」の欧文字を上下二段に横書きしてしてなり、第３５類に属する願書記載のとおりの役務を指定役務として、平成２０年６月２日に登録出願されたものである。そして、指定役務については、原審における同２１年３月２７日付け手続補正書により、別掲２のとおりに補正されたものである。  
　　 
２　引用商標 
　原査定において、本願の拒絶の理由に引用した登録商標は、次のとおりであり、引用商標４０を除き、いずれも現に有効に存続しているものである。
（なお、別掲に表示した結合商標については、構成中の文字のみを「商標の構成」欄に表示した。）
 　 
ア．引用商標１（登録第１２９５７１号の１） 
商標の構成　別掲３のとおり（「アルプス」）
登録出願日　大正１０年３月９日 
設定登録日　大正１０年５月２６日 
書換登録日　平成１３年９月１９日
指定商品　　第２５類「足袋，その他の被服（頭から冠る防虫網・あみ笠・
　　　　　　　　　　　すげ笠・ナイトキャップ・和装用ひも・下着・水泳
　　　　　　　　　　　帽・えり巻き・靴下・ショール・ストール・手袋・
　　　　　　　　　　　ネッカチーフ・マフラー・ずきん・ヘルメット・帽
　　　　　　　　　　　子・メリヤス製被服を除く。），運動用特殊衣服（
　　　　　　　　　　　メリヤス製被服を除く。），マラソン足袋，地下足
　　　　　　　　　　　袋」　
　　　　 
イ．引用商標２（登録第１９５８１２号） 
商標の構成　別掲４のとおり（「ＡＬＰＳ」） 
登録出願日　昭和２年４月１２日 
設定登録日　昭和３年１月１３日 
書換登録日　平成２０年６月２５日書換登録
指定商品　　第７類「犂，稲こき器，桑こき器，唐箕」
　　　　　　第８類「鋤，くわ，まぐわ，くぎ抜き，鉄つい，縄墨，ねじ回
　　　　　　　　　　し，スコップ，ショベル，つるはし」
　　
ウ．引用商標３（登録第４１８６６３号） 
商標の構成　「ＡＬＰＳ」の欧文字を横書きしてなる商標 
登録出願日　昭和２６年９月１日 
設定登録日　昭和２７年１１月２０日 
書換登録日　平成１５年１２月２４日 
指定商品　　第１類　「工業用小麦粉」
　　　　　　第３０類「食用小麦粉」
　　　　　　第３１類「ふすま」
　　　　　 
エ．引用商標４（登録第４２４９２９号） 
商標の構成　「ＡＬＰＳ」の欧文字を横書きしてなる商標 
登録出願日　昭和２７年２月２３日 
設定登録日　昭和２８年５月８日 
書換登録日　平成１６年１０月２７日 
指定商品　　第３０類「茶」
　　　　　　第３２類「紅茶シロップ」 
　　 
オ．引用商標５（登録第４２７１９６号） 
商標の構成　「ＡＬＰＳ」の欧文字を横書きしてなる商標 
登録出願日　昭和２７年３月１３日 
設定登録日　昭和２８年６月２５日 
書換登録日　平成１６年９月１５日 
指定商品　　別掲１８のとおり
　 
カ．引用商標６（登録第４３０２３１号） 
商標の構成　別掲５のとおり（「アルプス」） 
登録出願日　昭和２７年９月１２日 
設定登録日　昭和２８年８月２９日 
書換登録日　平成１６年９月２２日
指定商品　　第２５類「靴（地下足袋を除く。），靴の引き手」　　　 
　　
キ．引用商標７（登録第４３３０６８号） 
商標の構成　別掲６のとおり（「ＡＬＰＳＢＲＡＮＤ」）
登録出願日　昭和２５年８月１０日 
設定登録日　昭和２８年１０月１７日 
書換登録日　平成１６年３月３日 
指定商品　　第２５類「帽子」
　　 
ク．引用商標８（登録第５０５８６０号） 
商標の構成　「ＡＬＰＳ」の欧文字を横書きしてなる商標 
登録出願日　昭和３１年８月２８日 
設定登録日　昭和３２年７月２５日 
書換登録日　平成１９年８月１５日
指定商品　　第２５類「帽子」 
　 
ケ．引用商標９（登録第６０２８２９号） 
商標の構成　やや厚みをもたせた「ＡＬＰＳ」の欧文字と「アルプス」の片
　　　　　　仮名を上下二段に横書きしてなる商標 
登録出願日　昭和３５年５月２０日 
設定登録日　昭和３７年１２月２５日 
書換登録日　平成１６年４月２８日 
指定商品　　第２１類「ほうき」
　　　　　 
コ．引用商標１０（登録第６４４１３０号） 
商標の構成　「アルプス」の片仮名を横書きしてなる商標 
登録出願日　昭和３８年１月７日 
設定登録日　昭和３９年６月５日 
書換登録日　平成１７年３月１６日 
指定商品　　第３類「歯みがき」
　　　　　　　 
サ．引用商標１１（登録第７６７８８３号） 
商標の構成　別掲７のとおり（「ＡＬＰＳ」） 
登録出願日　昭和４０年１１月２６日 
設定登録日　昭和４３年１月２２日 
書換登録日　平成２０年７月９日 
指定商品　　第１類「化学品」
　　　　　　第５類「薬剤」　　　 
　　
シ．引用商標１２（登録第８１９７４８号） 
商標の構成　「ＡＬＰＳ」の欧文字を横書きしてなる商標 
登録出願日　昭和４３年６月５日 
設定登録日　昭和４４年６月４日 
書換登録日　平成２１年７月８日
指定商品　　第６類　「金属製金具」
　　　　　　第１１類「水道蛇口用座金，水道蛇口用ワッシャー」
　　　　　　第２０類「カーテン金具，金属代用のプラスチック製締め金具
　　　　　　　　　　　，くぎ・くさび・ナット・ねじくぎ・びょう・ボル
　　　　　　　　　　　ト・リベット及びキャスター（金属製のものを除く
　　　　　　　　　　　。），座金及びワッシャー（金属製・ゴム製又はバ
　　　　　　　　　　　ルカンファイバー製のものを除く。），錠（電気式
　　　　　　　　　　　又は金属製のものを除く。）」 
　　 
ス．引用商標１３（登録第９８２２７３号） 
商標の構成　別掲８のとおり （「Ａｌｐｓ」）
登録出願日　昭和４４年４月２４日 
設定登録日　昭和４７年９月２７日 
書換登録日　平成１６年９月２２日 
指定商品　　第２５類「靴類（「靴合わせくぎ・靴くぎ・靴の引き手・靴び
　　　　　　　　　　　ょう・靴保護金具」を除く。）」
　 
セ．引用商標１４（登録第１０３２８９７号） 
商標の構成　別掲９のとおり（「アルプス」） 
登録出願日　昭和４５年１２月２３日 
設定登録日　昭和４８年９月１０日 
書換登録日　平成１７年６月２２日
指定商品　　第２６類「被服用肩パッド」　　　
　　　 
ソ．引用商標１５（登録第１０６２２９５号） 
商標の構成　別掲１０のとおり（「ＡＬＰＳ」） 
登録出願日　昭和４４年５月２７日 
設定登録日　昭和４９年４月１５日 
書換登録日　平成１６年４月７日
指定商品　　第３類　「研磨紙，研磨布，研磨用砂，人造軽石，つや出し紙　　　　　　　　　　　，つや出し布」
　　　　　　第６類　「かな床，はちの巣」
　　　　　　第８類　「手動利器（「刀剣」を除く。），刀剣，手動工具
　　　　　　　　　　　（「すみつぼ類・皮砥・鋼砥・砥石」を除く。），
　　　　　　　　　　　すみつぼ類，皮砥，鋼砥，砥石」　
　　　　　　第１６類「装飾塗工用ブラシ」　
　　　　　　第２１類「魚ぐし，おけ用ブラシ，金ブラシ，管用ブラシ，工
　　　　　　　　　　　業用はけ，船舶ブラシ」
　　　　　　第２６類「針類」　　　 
　　
タ．引用商標１６（登録第１０７０２８２号） 
商標の構成　「アルプス」の片仮名を横書きしてなる商標 
登録出願日　昭和４５年５月８日 
設定登録日　昭和４９年６月６日 
書換登録日　平成１６年１０月２７日
指定商品　　第２９類「冷凍野菜，冷凍果実」
　　　　　　第３０類「コーヒー豆，穀物の加工品，こうじ，酵母，イース
　　　　　　　　　　　トパウダー，ベーキングパウダー」
　　　　　　第３１類「野菜（「茶の葉」を除く。），茶の葉，糖料作物，
　　　　　　　　　　　砂糖きび，てんさい，果実」　　　
　 
チ．引用商標１７（登録第１０７０２８３号） 
商標の構成　「ＡＬＰＳ」の欧文字を横書きしてなる商標 
登録出願日　昭和４５年５月８日 
設定登録日　昭和４９年６月６日 
書換登録日　平成１６年１０月２７日 
指定商品　　第２９類「冷凍野菜，冷凍果実」
　　　　　　第３０類「コーヒー豆，穀物の加工品，こうじ，酵母，イース
　　　　　　　　　　　トパウダー，ベーキングパウダー」
　　　　　　第３１類「野菜（「茶の葉」を除く。），茶の葉，糖料作物，
　　　　　　　　　　　砂糖きび，てんさい，果実」
　 
ツ．引用商標１８（登録第１０８２６９５号） 
商標の構成　「ＡＬＰＳ」の欧文字を横書きしてなる商標 
登録出願日　昭和４７年２月２３日 
設定登録日　昭和４９年８月１５日
書換登録日　平成１７年９月７日
指定商品　　第２５類「靴類（「靴合わせくぎ・靴くぎ・靴の引き手・靴び
　　　　　　　　　　　ょう・靴保護金具」を除く。），靴合わせくぎ，靴
　　　　　　　　　　　くぎ，靴の引き手，靴びょう，靴保護金具，げた，
　　　　　　　　　　　草履類」
　　 
テ．引用商標１９（登録第１４０１５４１号） 
商標の構成　「アルプス」の片仮名を横書きしてなる商標 
登録出願日　昭和４７年１０月３１日 
設定登録日　昭和５４年１２月２７日 
書換登録日　平成２１年１０月２８日
指定商品　　第２４類「布製身の回り品」
　　　　　　第２５類「洋服，コート，セーター類，ワイシャツ類，下着，
　　　　　　　　　　　寝巻き類，和服」　
　　　　 
ト．引用商標２０（登録第１４０１５４２号） 
商標の構成　「ＡＬＰＳ」の欧文字を横書きしてなる商標 
登録出願日　昭和４７年１０月３１日 
設定登録日　昭和５４年１２月２７日 
書換登録日　平成２１年１０月２８日
指定商品　　第２４類「布製身の回り品」
　　　　　　第２５類「洋服，コート，セーター類，ワイシャツ類，下着，
　　　　　　　　　　　寝巻き類，和服」 
　　　 
ナ．引用商標２１（登録第１４３７２４２号） 
商標の構成　「アルプス」の片仮名を横書きしてなる商標 
登録出願日　昭和５１年２月１９日 
設定登録日　昭和５５年９月２９日
書換登録日　平成２２年８月１８日
指定商品　　第１類「化学品」
　　　　　　第５類「薬剤」　　　 
　　
ニ．引用商標２２（登録第１５８６６５２号） 
商標の構成　「ＡＬＰＳ」の欧文字及び「アルプス」の片仮名を上下二段に
　　　　　　横書きしてなる商標 
登録出願日　昭和５５年６月２７日 
設定登録日　昭和５８年５月２６日 
書換登録日　平成１５年７月２日
指定商品　　第１６類「紙類」
　 
ヌ．引用商標２３（登録第１７８４２５９号） 
商標の構成　別掲１１のとおり（「ＡＬＰＳ」）
登録出願日　昭和５７年８月６日 
設定登録日　昭和６０年６月２５日 
書換登録日　平成１８年１１月８日
指定商品　　第２５類「靴類（「靴合わせくぎ・靴くぎ・靴の引き手・靴び
　　　　　　　　　　　ょう・靴保護金具」を除く。），げた，草履類」
　 
ネ．引用商標２４（登録第１８０６２６０号） 
商標の構成　別掲１２のとおり（「ＡＬＰＳ」「ＰＵＲＥ　ＤＲＹ　ＷＩＮ
　　　　　　Ｅ」）
登録出願日　昭和４７年５月４日 
設定登録日　昭和６０年９月２７日 
書換登録日　平成１８年８月９日
指定商品　　第３３類「ぶどう酒」 
　　　　　 
ノ．引用商標２５（登録第１９７２９１６号） 
商標の構成　「アルプス」の片仮名を横書きしてなる商標 
登録出願日　昭和５９年６月１５日 
設定登録日　昭和６２年７月２３日 
書換登録日　平成１９年１１月２１日 
指定商品　　別掲１９のとおり
　　　　　 
ハ．引用商標２６（登録第１９７２９１７号） 
商標の構成　別掲１３のとおり （「ＡＬＰＳ」）
登録出願日　昭和５９年６月１５日 
設定登録日　昭和６２年７月２３日 
書換登録日　平成１９年１１月２１日
指定商品　　別掲１９のとおり
　　　 
ヒ．引用商標２７（登録第２０１１４３４号） 
商標の構成　「アルプス」の片仮名を横書きしてなる商標 
登録出願日　昭和６０年１２月６日 
設定登録日　昭和６３年１月２６日 
書換登録日　平成２０年４月３０日
指定商品　　第６類、第９類、「印刷物」を含む第１６類、第１９類及び２
　　　　　　０類に属する商標登録原簿記載のとおり商品　 
　　
フ．引用商標２８（登録第２０７４５５９号） 
商標の構成　「アルプス」の片仮名を横書きしてなる商標 
登録出願日　昭和５９年７月１１日 
設定登録日　昭和６３年８月２９日
書換登録日　平成２０年７月１６日 
指定商品　　第３０類「みそ」　 
　　
ヘ．引用商標２９（登録第２１６２７５４号） 
商標の構成　「ＡＬＰＳ」の欧文字及び「アルプス」の片仮名を上下二段に
　　　　　　横書きしてなる商標 
登録出願日　昭和５２年４月２５日 
設定登録日　平成元年８月３１日
書換登録日　平成２２年１０月１３日 
指定商品　　第３３類「日本酒，中国酒，薬味酒」　　　　　　　 
　　
ホ．引用商標３０（登録第２２８０７１３号） 
商標の構成　別掲１４のとおり（「ＡＬＰＳ」） 
登録出願日　昭和６２年１１月２日 
設定登録日　平成２年１１月３０日 
書換登録日　平成１２年１１月２２日
指定商品　　第９類　「映写フィルム，スライドフィルム，スライドフィル
　　　　　　　　　　　ム用マウント，録画済みビデオディスク及びビデオ
　　　　　　　　　　　テープ」　
　　　　　　第１６類「印刷物，書画，写真，写真立て」　
　　　 
マ．引用商標３１（登録第２３２３７７９号） 
商標の構成　「アルプス」の片仮名を横書きしてなる商標 
登録出願日　昭和５７年４月３０日 
設定登録日　平成３年７月３１日 
書換登録日　平成１３年４月１１日
指定商品　　第３０類「茶，コーヒー，ココア，氷」
　　　　　　第３２類「清涼飲料，果実飲料」　　
　 
ミ．引用商標３２（登録第２３７３９１３号） 
商標の構成　「ＡＬＰＳ」の欧文字を横書きしてなる商標 
登録出願日　昭和５０年１２月１６日 
設定登録日　平成４年１月３１日
書換登録日　平成１４年８月２１日
指定商品　　第３３類「果実酒」 
　 
ム．引用商標３３（登録第２５７７０６９号） 
商標の構成　「アルプス」の片仮名を横書きしてなる商標 
登録出願日　昭和６０年７月３０日 
設定登録日　平成５年９月３０日 
書換登録日　平成１６年１月１４日
指定商品　　第３２類「ビール」
　　　　　　第３３類「洋酒，果実酒」 
　 
メ．引用商標３４（登録第２６０２１６３号） 
商標の構成　別掲１５のとおり（「軽井沢美人」「Ａｌｐｓ」） 
登録出願日　昭和６０年１２月１８日 
設定登録日　平成５年１１月３０日
書換登録日　平成１６年６月９日 
指定商品　　第３２類「ビール」
　　　　　　第３３類「洋酒，果実酒」
　　　　　 
モ．引用商標３５（登録第２６７４３２７号） 
商標の構成　「アルプス」の片仮名及び「ＡＬＰＳ」の欧文字を上下二段に
　　　　　　横書きしてなる商標 
登録出願日　平成３年７月１８日 
設定登録日　平成６年６月２９日
書換登録日　平成１７年１月５日 
指定商品　　第２５類「洋服，コート，セーター類，ワイシャツ類，下着，
　　　　　　　　　　寝巻き類，和服，足袋」
　　　　 
ヤ．引用商標３６（登録第２６８３９２９号） 
商標の構成　別掲１０のとおり （「ＡＬＰＳ」）
登録出願日　平成３年９月２７日 
設定登録日　平成６年７月２９日 
書換登録日　平成１７年１月２６日
指定商品　　第４類、第５類、第６類、第８類、第１０類、「加熱器，調理
　　　　　　台，流し台，アイスボックス，氷冷蔵庫，ガス湯沸かし器」を
　　　　　　含む第１１類、第１４類、第１６類、第１８類、第１９類、「
　　　　　　うちわ，せんす」を含む第２０類、「なべ類，コーヒー沸かし
　　　　　　（電気式又は貴金属製のものを除く。），鉄瓶，やかん，水筒
　　　　　　，魔法瓶」を含む第２１類、第２４類、第２６類、第２７類及
　　　　　　び第２８類に属する商標登録原簿記載のとおりの商品　　
　 
ユ．引用商標３７（登録第４２９６９５７号） 
商標の構成　「ＡＬＰＳ」の欧文字を横書きしてなる商標 
登録出願日　平成９年１２月１０日 
設定登録日　平成１１年７月２３日 
指定商品　　「計算尺」を含む第９類に属する商標登録原簿記載のとおりの
　　　　　　商品  
　 
ヨ．引用商標３８（登録第４３６９８３０号） 
商標の構成　「ＡＬＰＳ」の欧文字を横書きしてなる商標 
登録出願日　平成１１年７月２８日 
設定登録日　平成１２年３月２４日 
指定商品　　第１６類「文房具類（『昆虫採集用具』を除く。），昆虫採集
　　　　　　　　　　用具」 
　 
ラ．引用商標３９（登録第４３９３６００号） 
商標の構成　「アルプス」の片仮名を横書きしてなる商標 
登録出願日　平成１１年７月２日 
設定登録日　平成１２年６月２３日 
指定商品　　「文房具類（『昆虫採集用具』）を除く。」を含む第１６類に
　　　　　　属する商標登録原簿記載のとおりの商品 
　　　　　 
リ．引用商標４０（登録第４７３３７９３号） 
商標の構成　ＡＬＰＳ（標準文字） 
登録出願日　平成１５年４月１７日 
設定登録日　平成１５年１２月１２日 
指定商品　　第３０類「菓子及びパン」
登録抹消日　平成２１年８月１９日 
　　 
ル．引用商標４１（登録第４９３０６９６号） 
商標の構成　別掲１６のとおり（「アルプス」）
登録出願日　平成１７年５月２日 
設定登録日　平成１８年２月２４日 
指定商品　　第３類「化粧品」 
　　　　　 
レ．引用商標４２（登録第４９９８５６２号） 
商標の構成　別掲１７のとおり（「ＡＬＰＳ」） 
登録出願日　平成１８年３月１３日 
設定登録日　平成１８年１０月２７日 
指定商品　　第３類「化粧品，せっけん」
 
以下、これらをまとめて「引用商標」という場合がある。 
　 
３　当審の判断  
（１）引用商標４０について
　引用商標４０の商標権は、後期分の分割登録料の不納により、商標権の登録の抹消がなされているものである。 
　したがって、本願商標に係る当該引用商標４０についての拒絶の理由は解消した。 
（２）本願商標について  
　本願商標は、別掲１のとおり、「Ｓｕｐｅｒ　ＡＬＰＳ」の欧文字と、その上段に該欧文字の表音を表したものと認められる「スーパーアルプス」の片仮名文字とを上下二段に横書きしてしてなるところ、その構成中の「Ｓｕｐｅｒ」及び「スーパ−」の文字部分は、「超・・・、上の、より優れた」のほか、「スーパーマーケットの略」等を意味する語として、また、「ＡＬＰＳ」及び「アルプス」の文字部分は、「ヨーロッパの中央南部に横たわる山脈」（以下「アルプス山脈」という。）（いずれも、広辞苑第６版　岩波書店）を意味を有する語として、我が国ではよく知られている語である。 
　そして、「Ｓｕｐｅｒ」及び「スーパー」の文字を冠した「Ｓｕｐｅｒ　ＡＬＰＳ」及び「スーパーアルプス」の各文字は、全体として特定の観念を生ずるものではなく、また、「Ｓｕｐｅｒ　ＡＬＰＳ」及び「スーパーアルプス」の各文字を常に一体的に把握しなければならないとする特段の事情も見い出すことはできない。
　さらに、本願商標構成中の「スーパー」及び「Ｓｕｐｅｒ」の文字部分は、その指定役務が「被服の小売又は卸売の業務において行われる顧客に対する便益の提供」等の「商品の小売又卸売の業務において行われる顧客に対する便益の提供」であることからすれば、当該指定役務との関係においては、その役務が「スーパー（マーケット）」が提供するものであること、すなわち、役務の質（内容）、提供場所を表示すると認められるものであって、自他役務の識別標識としての機能を果たさないか、又は、極めて弱いものといわざるを得ないものである。 
　そうとすれば、本願商標は、その構成中「ＡＬＰＳ」及び「アルプス」の文字部分が、独立して自他役務の識別標識としての機能を果たすものとみるのが相当であって、簡易、迅速を旨とする取引きの実際においては、該文字部分のみをもって取引に資することも少なくないものであるから、本願商標は、「スーパーアルプス」の一連の称呼を生ずるほか、該文字部分に相応して、「アルプス」の称呼、及び「アルプス山脈」の観念をも生ずるものである。
（３）本願商標と引用商標１、６、１０、１４、１６、１９、２１、２５、２７、２８、３１、３３、３９及び４１との類否について
　本願商標は、上記（２）のとおり、「アルプス」の称呼、及び「アルプス山脈」の観念を生ずるものである。
　他方、引用商標１０、１６、１９、２１、２５、２７、２８、３１、３３及び３９は、「アルプス」の文字よりなり、「アルプス」の称呼、及び「アルプス山脈」の観念を生ずるものである。
　また、引用商標１、６、１４及び４１は、それぞれ、別掲３、別掲５、別掲９及び別掲１６のとおり、「アルプス」の文字と図形を結合させた構成よりなるところ、その構成態様からすれば、文字部分も独立して自他商品の識別機能を果たすものというべきであるから、該文字部分より「アルプス」の称呼、及び「アルプス山脈」の観念を生ずるものである。
　してみれば、本願商標と引用商標１、６、１０、１４，１６、１９、２１、２５、２７、２８、３１、３３、３９及び４１は、「アルプス」の称呼、及び「アルプス山脈」の観念を共通にする類似の商標であり、かつ、本願商標の指定役務は、前記した引用各商標の指定商品と類似の役務を含むものである。
 （４）本願商標と引用商標２ないし５、８、１１ないし１３、１５、１７、１８、２０、２３、２６、３０、３２、３４、３６ないし３８及び４２商標との類否について
　本願商標は、上記（２）のとおり、「アルプス」の称呼、及び「アルプス山脈」の観念を生ずるものである。
　他方、引用商標３ないし５、８、１２、１７、１８、２０、３２、３７、３８は、「ＡＬＰＳ」の欧文字よりなり、「アルプス」の称呼、及び「アルプス山脈」の観念を生ずるものである。
　また、引用商標２、１１、１３、１５、２３、２６、３０、３４、３６、４２は、それぞれ、別掲４、別掲７、別掲８、別掲１０、別掲１１、別掲１３、別掲１４、別掲１５、別掲１０、別掲１７のとおりの構成よりなり、それぞれ「ＡＬＰＳ」、または、「Ａｌｐｓ」（筆記体を含む）の欧文字と図形を結合させた構成よりなるところ、その構成態様からすれば、文字部分も独立して自他商品の識別機能を果たすものというべきであるから、該文字部分より「アルプス」の称呼、及び「アルプス山脈」の観念を生ずるものである。
　してみれば、本願商標と引用商標２ないし５、８、１１ないし１３、１５、１７、１８、２０、２３、２６、３０、３２、３４、３６ないし３８及び４２は、「アルプス」の称呼、及び「アルプス山脈」の観念を共通にする類似の商標であり、かつ、本願商標の指定役務は、前記した引用各商標の指定商品と類似の役務を含むものである。　　
（５）本願商標と引用商標９、２２、２９及び３５との類否について
　本願商標は、上記（２）のとおり、「アルプス」の称呼、及び「アルプス山脈」の観念を生ずるものである。
　他方、引用商標９、２２、２９及び３５は、「ＡＬＰＳ」の欧文字及び「アルプス」の片仮名を上下二段に横書きしてなり、「アルプス」の称呼、及び「アルプス山脈」の観念を生ずるものである。
　してみれば、本願商標と引用商標９、２２、２９及び３５は、「アルプス」の称呼、及び「アルプス山脈」の観念を共通にする類似の商標であり、かつ、本願商標の指定役務は、前記した引用各商標の指定商品と類似の役務を含むものである。
（６）本願商標と引用商標７との類否について
  本願商標は、上記（２）のとおり、「アルプス」の称呼、及び「アルプス山脈」の観念を生ずるものである。
　他方、引用商標７は、別掲６のとおり、円内に、「ＡＬＰＳＢＲＡＮＤ」の欧文字と山の図形を配した構成よりなるところ、その構成態様からすれば、文字部分も独立して自他商品の識別機能を果たすものというべきである。
　そして、該文字中「ＢＲＡＮＤ」の文字は、「商標、銘柄」を意味する語（広辞苑第６版　岩波書店）であり、自他商品の識別標識の機能を果たし得ないものといえるから、簡易、迅速を旨とする取引きの実際においては、該部分を省略し、「ＡＬＰＳ」の文字部分をもって取引に資することも少なくないものとみるのが相当である。 
　そうとすれば、引用商標７は、構成文字全体として、「アルプスブランド」の一連の称呼を生ずるほか、「ＡＬＰＳ」の文字部分に相応して、「アルプス」の称呼、及び「アルプス山脈」の観念をも生ずるものである。 
　してみれば、本願商標と引用商標７は、「アルプス」の称呼、及び「アルプス山脈」の観念を共通にする類似の商標であり、かつ、本願商標の指定役務は、引用商標７の指定商品と類似の役務を含むものである。 
（７）本願商標と引用商標２４との類否について 
　本願商標は、上記（２）の認定のとおり、「アルプス」の称呼、及び「アルプス山脈」の観念をも生ずるものである。 
　他方、引用商標２４は、別掲１２のとおり、上段に大きく「ＡＬＰＳ」の欧文字、下段に上段の文字より小さく「ＰＵＲＥ　ＤＲＹ　ＷＩＮＥ」の欧文字、その下に山の図形を結合させた構成よりなるところ、その構成態様からすれば、文字部分も独立して自他商品の識別機能を果たすものというべきである。
　しかしながら、上段と下段の文字部分は、その文字の大きさが顕著に異なるために、視覚的にも分離して把握される場合もあるとみるのが自然であり、そうとすると、大きく顕著に表された上段の文字部分が、独立して自他商品の識別標識としての機能を果たし得るものとみるべきであるから、該上段の文字部分より「アルプス」の称呼、及び「アルプス山脈」の観念をも生ずるものである。 
　してみれば、本願商標と引用商標２４商標は、「アルプス」の称呼、及び「アルプス山脈」の観念を共通にする類似の商標であり、かつ、本願商標の指定役務は、引用商標２４の指定商品と類似の役務を含むものである。 
　　　 
４　請求人の主張について  
　なお、請求人は、過去の審決例及び既登録例をあげ本願商標が登録されるべきである旨主張する。 
　しかしながら、請求人の主張している審決例及び登録例は、本願と、その商標の構成態様が異なるばかりでなく、その指定役務（指定商品）も異なるものである。本願商標は、その指定役務との関係において、分断できると判断したものであるから、請求人があげる既登録例等とは事案を異にするものであるというべきであり、また、本願商標と引用商標との類否の判断は、個別、具体的に判断すべきものであるから、かかる請求人の主張は採用することはできない。  
　　 
５　まとめ 
　したがって、本願商標が、商標法第４条第１項第１１号に該当するとして、本願を拒絶した原査定は、妥当であって取り消すことはできない。  
　よって、結論のとおり審決する。